(57)【要約】【課題】  プロジェクタが備えるズームレンズのズーム量が変化しても、撮影画像における、調整用パターン画像の階調値の平均値を、所望階調値にほぼ維持する。【解決手段】  ＣＰＵ１２０は、露出計算対象範囲設定テーブル格納部１０７に格納された露出計算対象範囲設定テーブルを参照し、ズーム量検出部１２２によって検出されたズーム量ｚに基づいて、露出計算対象範囲を設定する。露出計算対象範囲設定テーブルには、各ズーム量ｚにおける好適な露出計算対象範囲が規定されている。次に、撮像制御部１０５は、ＣＣＤモジュール１３０によってスクリーン上に投写された調整用パターン画像を撮像し、設定された露出計算対象範囲について、露出計算値を算出する。そして、撮像制御部１０５は、この露出計算値と、所定の露出目標値とが等しくなるように、撮像部１０４におけるシャッタ速度、ゲイン、絞りのうちの少なくとも１つを制御して、露出調整を行う。【選択図】  図１
2006047338.tif 000002
【特許請求の範囲】
【請求項１】
投写対象物上に画像を投写するプロジェクタであって、
前記投写対象物上に投写される画像の投写範囲を変化させることが可能なズームレンズと、
前記投写された所定の画像を撮影する撮像部と、
前記撮像部における露出調整を行う撮像制御部と、を備え、
前記撮像制御部は、前記ズームレンズのズーム量に基づいて、前記撮影された撮影画像における露出計算対象範囲を設定し、前記撮影画像から、前記設定された露出計算対象範囲について、露出計算値を算出し、該算出された露出計算値が、所定の露出目標値とほぼ等しくなるように、前記露出調整を行う、
プロジェクタ。
【請求項２】
請求項１記載のプロジェクタであって、
前記撮像制御部は、前記ズーム量が第１のズーム量である場合の前記露出計算対象範囲に対し、前記ズーム量が前記第１のズーム量よりも大きい第２のズーム量である場合には、前記露出計算対象範囲を大きく設定する、
プロジェクタ。
【請求項３】
請求項１記載のプロジェクタであって、さらに、
前記所定の画像について用意され、前記ズーム量と、前記露出計算対象範囲との関係を記した所定の露出計算対象範囲設定テーブルを備え、
前記撮像制御部は、前記露出計算対象範囲設定テーブルを参照し、前記ズーム量に基づいて、前記露出計算対象範囲を設定する、
プロジェクタ。
【請求項４】
投写対象物上に画像を投写するプロジェクタであって、
前記投写対象物上に投写される画像の投写範囲を変化させることが可能なズームレンズと、
前記投写された所定の画像を撮影する撮像部と、
前記撮像部における露出調整を行う撮像制御部と、を備え、
前記撮影された撮影画像は、比較的階調値が高い高階調領域と、比較的階調値が低い低階調領域とを有しており、
前記撮像制御部は、前記撮影画像から、前記高階調領域の面積に関する所定のパラメータを導出し、該導出されたパラメータに基づいて、前記撮影画像における露出計算対象範囲を設定し、前記撮影画像から、前記設定された露出計算対象範囲について、露出計算値を算出し、該算出された露出計算値が、所定の露出目標値とほぼ等しくなるように、前記露出調整を行う、
プロジェクタ。
【請求項５】
請求項４記載のプロジェクタであって、さらに、
前記所定の画像について用意され、前記パラメータと、前記露出計算対象範囲との関係を記した露出計算対象範囲設定テーブルを備え、
前記撮像制御部は、前記露出計算対象範囲設定テーブルを参照し、前記パラメータに基づいて、前記露出計算対象範囲を設定する、
プロジェクタ。
【請求項６】
請求項１または４記載のプロジェクタであって、さらに、
投写光学系の光軸の基準位置からのシフト量を変更するシフト量変更部を備え、
前記撮像制御部は、さらに、前記シフト量に基づいて、前記露出計算対象範囲を設定する、
プロジェクタ。
【請求項７】
投写対象物上に画像を投写するプロジェクタの制御方法であって、
前記プロジェクタは、
前記投写対象物上に投写される画像の投写範囲を変化させることが可能なズームレンズと、
前記投写された画像を撮影する撮像部と、を備えており、
（ａ）前記ズームレンズのズーム量に基づいて、前記撮影された撮影画像における露出計算対象範囲を設定する工程と、
（ｂ）前記撮影画像から、前記設定された露出計算対象範囲について、露出計算値を算出し、該算出された露出計算値が、所定の露出目標値とほぼ等しくなるように、前記撮像部における露出調整を行う工程と、
を備える制御方法。
【請求項８】
投写対象物上に画像を投写するプロジェクタの制御方法であって、
前記プロジェクタは、
前記投写対象物上に投写される画像の投写範囲を変化させることが可能なズームレンズと、
前記投写された画像を撮影する撮像部と、を備えており、
前記撮影された撮影画像は、比較的階調値が高い高階調領域と、比較的階調値が低い低階調領域とを有しており、
（ａ）前記撮影画像から、前記高階調領域の面積に関する所定のパラメータを導出する工程と、
（ｂ）該導出されたパラメータに基づいて、前記撮影画像における露出計算対象範囲を設定する工程と、
（ｃ）前記撮影画像から、前記設定された露出計算対象範囲について、露出計算値を算出し、該算出された露出計算値が、所定の露出目標値とほぼ等しくなるように、前記撮像部における露出調整を行う工程と、
を備える制御方法。
【発明の詳細な説明】
【技術分野】
【０００１】
本発明は、スクリーン等の投写対象物上に画像を投写するプロジェクタに関し、特に、投写された投写画像のサイズ（投写範囲）を変化させることが可能なズームレンズと、投写画像を撮影する撮像部とを備えるプロジェクタ、および、このプロジェクタの制御方法に関するものである。
【背景技術】
【０００２】
近年のプロジェクタでは、投写レンズ内にズームレンズを備え、そのズームレンズを駆動させ、そのズームレンズのズーム量を変更することにより、スクリーン上に形成される画像の投写範囲を自在に変更可能なものが知られている。
【０００３】
このようなプロジェクタをスクリーンの前方に設置する場合、プロジェクタからスクリーンに投写された投写光によって、スクリーン上に適切に画像が表示されるように、予め、プロジェクタにおいて、ズーム調整や、キーストーン補正や、フォーカス調整など、種々の調整を行う必要がある。
【０００４】
しかし、可搬性を有するプロジェクタの場合、プロジェクタを設置する度に、プロジェクタと、スクリーンとの相対的な位置が変わる可能性があるため、ユーザは、上記のような各種調整を、その都度行わなければならず、非常に煩雑であった。
【０００５】
そこで、従来においては、例えば、下記特許文献１に記載されているように、プロジェクタにモニタカメラを設けると共に、そのプロジェクタをスクリーンの前方に設置した際に、まず、プロジェクタによってスクリーン上に調整用パターン画像を投写表示させ、そのパターン画像を表示するスクリーンをモニタカメラによって撮影し、その撮影画像を解析して、その解析結果に基づいて、上記した各種調整を自動的に行うようにしていた。
【０００６】
一般に、上記モニタカメラには、レンズから入射した光を電気信号に変換するＣＣＤ（Charge Coupled Device）などが備えられており、撮影画像の全体の明るさを予め設定された値（露出目標値）にするために、シャッタ速度や、ゲイン（感度）や、絞りなどを変更する自動露出調整機能を有している。
【０００７】
図９は、従来におけるモニタカメラの自動露出調整機能による効果を説明するための説明図である。図９において、上段は、調整用パターン画像の表示されたスクリーンを示し、中段は、そのスクリーンをモニタカメラによって撮影して得た撮影画像を示し、下段は、その撮影画像において、中央の水平線（破線）に沿って並ぶ各画素の明るさを表す値を示している。また、図９（Ａ）は、プロジェクタの通常の輝度設定時の状態を示しており、図９（Ｂ）は、プロジェクタの低輝度設定時の状態を示している。なお、撮影画像における各画素の明るさを表す値を、以下、階調値という。この階調値は、モニタカメラ（ＣＣＤモジュール）から出力される撮影画像の画像信号から得られる値である。また、図示するように、図９（Ａ）、（Ｂ）における投写範囲は、いずれも同じである。
【０００８】
図９において、調整用パターン画像は、全面白色の画像であり、上段に示すように、スクリーンにおいて、調整用パターン画像として表示された白色部分の範囲が上記した投写範囲となる。モニタカメラによって撮影して得られる撮影画像は、中段に示したようになる。また、下段において、横軸は、撮影画像の中央水平線上における各画素の位置に対応し、縦軸は、各画素の階調値を示している。
【０００９】
プロジェクタにおいて、光源ランプの輝度が低輝度設定にされている場合は、通常の輝度設定時と比較して、プロジェクタから投写される投写光の輝度は低くなる。このため、スクリーン上に表示される調整用パターン画像の明るさも、図９（Ｂ）に示すように、図９（Ａ）の通常の輝度設定時と比較して、暗くなる。しかし、その調整用パターン画像をモニタカメラによって自動露出調整機能を動作させて撮影すると、被写体が暗くても撮影画像の全体の明るさが適正になるように、シャッタ速度や、ゲインや、絞りなどが調整されるため、その撮影画像では、調整用パターン画像の明るさは、図９（Ｂ）に示すように、図９（Ａ）の通常の輝度設定時と変わらない。したがって、撮影画像において、黒色部分、すなわち、投写範囲外の部分は、無視できるほど暗いため、黒色部分における各画素の階調値は０とみなせるのに対し、白色部分、すなわち、調整用パターン画像の部分における各画素の階調値は、ほぼ所望階調値Ｌｔのまま、変化しない。
【００１０】
このように、モニタカメラにおいて自動露出調整機能を動作させることによって、プロジェクタにおいて、光源ランプを低輝度設定し、スクリーン上に表示される調整用パターン画像の明るさが暗くなっても、撮影画像において、白色部分、すなわち、調整用パターン画像の部分における各画素の階調値を、通常の輝度設定時と同様に、所望階調値Ｌｔにほぼ維持することができる。このことは、低輝度設定時に限らず、光源ランプが経年劣化して、その輝度が低下した場合でも、同様である。
【００１１】
【特許文献１】特開２０００−２４１８７４号公報
【発明の開示】
【発明が解決しようとする課題】
【００１２】
しかし、上述したズームレンズとモニタカメラを備えるプロジェクタにおいて、ズームレンズのズーム量を変化させ、スクリーン上の投写範囲を変化させた場合、モニタカメラの自動露出調整機能に起因して、次のような問題があった。
【００１３】
図１０は、従来におけるズーム量を変化させた場合の、モニタカメラの自動露出調整機能による問題を説明するための説明図である。図１０において、図９と同様に、上段は、調整用パターン画像の表示されたスクリーンを、中段は、そのスクリーンの撮影画像を、下段は、その撮影画像における画素の階調値を、それぞれ示している。また、図１０（Ａ）は、ズームレンズのズーム量を中間値に変更した場合の状態を示しており、図１０（Ｂ）は、ズームレンズのズーム量を中間値よりもワイド側に（大きく）設定した場合の状態を示しており、図１０（Ｃ）は、ズームレンズのズーム量を中間値よりもテレ側に（小さく）設定した場合の状態を示している。
【００１４】
ズームレンズのズーム量を中間値よりもワイド側に設定した場合、スクリーン上における投写範囲の面積は、図１０（Ｂ）の上段に示すように、図１０（Ａ）の中間値に設定した場合と比較して、広くなり、表示されるパターン画像も拡大する。したがって、調整用パターン画像をモニタカメラによって撮影すると、撮影画像において、白色部分、すなわち、調整用パターン画像の部分の面積は、図１０（Ｂ）の中段に示すように、図１０（Ａ）の中間値に設定した場合と比較して広くなり、黒色部分、すなわち、投写範囲外の部分の面積は狭くなる。
【００１５】
このとき、モニタカメラによる撮影を、自動露出調整機能を動作させて行うと、撮影画像の全体の明るさを露出計算値として算出し、その露出計算値が、予め設定された露出目標値に等しくなるように、シャッタ速度や、ゲインや、絞りなどが制御される。ここで、撮影画像の全体の明るさは、ＣＣＤにおける各画素で検出される光を電気信号に変換して増幅した量の総和でもあり、その値は、その撮影画像における各画素の階調値の平均値に比例する。よって、通常、露出計算値は、撮影画像における全画素の階調値の平均値を用いる。
【００１６】
一方、露出目標値は、予め設定された所定値であるため、図１０（Ａ）に示すように、ズーム量が中間値に設定されている場合に、露出計算値が、その露出目標値に一致していたとすると、上述したように、ズーム量を中間値よりもワイド側に設定して、撮影画像における白色部分の面積が広くなった場合、その面積の広がり分だけ、全画素の階調値の平均値、すなわち、露出計算値は、露出目標値よりも増大する。この結果、自動露出調整機能を動作させて、露出計算値が露出目標値に等しくなるよう、シャッタ速度や、ゲインや、絞りなどを変化させると、撮影画像における全画素の階調値の平均値は低下することになる。上述したように、撮影画像において、黒色部分は無視できるほど暗く、黒色部分における各画素の階調値は０とみなせるので、全画素の階調値の平均値が低下するということは、図１０（Ｂ）の下段に示すように、白色部分における各画素の階調値が所望階調値Ｌｔよりも低下することになる。
【００１７】
反対に、ズームレンズのズーム量を中間値よりもテレ側に設定した場合、スクリーン上における投写範囲の面積は、図１０（Ｃ）の上段に示すように、図１０（Ａ）の中間値に設定した場合と比較して、狭くなり、表示されるパターン画像も縮小する。したがって、そのパターン画像をモニタカメラによって撮影すると、その撮影画像において、白色部分、すなわち、調整用パターン画像の部分の面積は、図１０（Ｃ）の中段に示すように、（Ａ）の中間値に比較して狭くなり、黒色部分、すなわち、投写範囲外の部分の面積は広くなる。
【００１８】
撮影画像における白色部分の面積が狭くなった場合、狭くなった分だけ、全画素の階調値の平均値、すなわち、露出計算値は、露出目標値よりも低下する。この結果、自動露出調整機能を動作させて、露出計算値が露出目標値に等しくなるように、シャッタ速度や、ゲインや、絞りなどが変化すると、撮影画像における全画素の階調値の平均値は増大し、結果として、図１０（Ｃ）の下段に示すように、白色部分における各画素の階調値が所望階調値Ｌｔよりも増大することになる。
【００１９】
以上説明したように、従来においては、ズームレンズのズーム量を中間値よりもワイド側に設定して、スクリーン上の投写範囲が広くなった場合には、モニタカメラの自動露出調整機能に起因して、撮影画像における白色部分の各画素の階調値が所望階調値Ｌｔよりも低下し、反対に、中間値よりもテレ側に設定して投写範囲が狭くなった場合には、白色部分の各画素の階調値が所望階調値Ｌｔよりも増大し、いずれの場合も、白色部分の階調値の平均値を所望階調値Ｌｔに維持することはできなかった。
【００２０】
したがって、ズームレンズのズーム量の変化によって、撮影画像における白色部分の階調値の平均値が所望階調値Ｌｔから外れてしまうと、その後、上述したように、撮影画像を解析して、その解析結果に基づき、種々の調整を自動的に行おうとした場合に、調整の内容によっては、適正な調整が行えないという問題があった。
【００２１】
このような問題は、調整用パターン画像が、全面白である場合に限らず、白色以外の他の特定の色（例えば、緑色など）である場合にも、あるいは、全面でなく一部である場合にも、同様に起こり得る。
【００２２】
本発明は、上述の課題を解決するためになされたものであり、プロジェクタが備えるズームレンズのズーム量が変化しても、撮影画像における調整用パターン画像の階調値の平均値を、所望階調値にほぼ維持することを目的とする。
【課題を解決するための手段】
【００２３】
上述の課題の少なくとも一部を解決するため、本発明では、以下の構成を採用した。
本発明の第１のプロジェクタは、
投写対象物上に画像を投写するプロジェクタであって、
前記投写対象物上に投写される画像の投写範囲を変化させることが可能なズームレンズと、
前記投写された所定の画像を撮影する撮像部と、
前記撮像部における露出調整を行う撮像制御部と、を備え、
前記撮像制御部は、前記ズームレンズのズーム量に基づいて、前記撮影された撮影画像における露出計算対象範囲を設定し、前記撮影画像から、前記設定された露出計算対象範囲について、露出計算値を算出し、該算出された露出計算値が、所定の露出目標値とほぼ等しくなるように、前記露出調整を行うことを要旨とする。
【００２４】
「所定の画像」とは、露出調整用に用意された調整用パターン画像である。この調整用パターン画像としては、例えば、全面白色の画像や、所定の階調パターンを有する画像や、ロゴなどを用いることができる。露出計算対象範囲は、例えば、矩形の範囲としてもよいし、他の形状の範囲としてもよい。また、露出計算対象範囲は、例えば、撮影画像における調整用パターン画像の範囲としてもよいし、調整用パターン画像を含む所定の範囲としてもよいし、調整用パターン画像の内部の所定の範囲としてもよい。ただし、撮影画像における調整用パターン画像の範囲と、露出計算対象範囲との相対的な位置関係は、ズームレンズのズーム量に関わらず、一定である。また、「露出計算値が、所定の露出目標値とほぼ等しくなるように」とは、露出計算値と露出目標値とが、厳密に等しくならなくてもよく、両者の差が所定の範囲内に収まればよいことを意味している。なお、自動露出調整を行う際の所定の露出目標値は、ズームレンズのズーム量に関わらず、一定である。これらは、後述する本発明の第２のプロジェクタにおいても同じである。
【００２５】
先に説明したように、従来のプロジェクタでは、自動露出調整を行う際に、露出計算対象範囲を、ズームレンズのズーム量に関わらず、撮影画像全体としていた。これに対し、本発明では、ズームレンズのズーム量に応じて、すなわち、調整用パターン画像の投写範囲に応じて、露出計算対象範囲を変更する。例えば、ズームレンズのズーム量を所定の基準値に設定した場合の調整用パターン画像の投写範囲を基準範囲とし、この場合の撮影画像における調整用パターン画像の範囲を基準露出計算対象範囲とする。そして、ズーム量を変化させ、調整用パターン画像の投写範囲を基準範囲のａ倍にした場合には、露出計算対象範囲も基準露出計算対象範囲のａ倍にする。
【００２６】
こうすることによって、ズーム量が変化しても、撮影画像における調整用パターン画像の範囲と、露出計算対象範囲との相対的な位置関係を一定に保ったまま、換言すれば、撮影画像における露出計算対象範囲に占める調整用パターン画像の範囲の面積の割合を、ズーム量に関わらず、一定に保ったまま、露出計算値を算出することができる。したがって、露出計算値を、ズーム量に関わらず、ほぼ一定に維持することができる。この結果、この露出計算値が、所定の露出目標値にほぼ等しくなるように、露出調整を行うことによって、ズームレンズのズーム量が変化しても、撮影画像における調整用パターン画像の階調値の平均値を、所望階調値にほぼ維持することができる。
【００２７】
上記プロジェクタにおいて、
前記撮像制御部は、前記ズーム量が第１のズーム量である場合の前記露出計算対象範囲に対し、前記ズーム量が前記第１のズーム量よりも大きい第２のズーム量である場合には、前記露出計算対象範囲を大きく設定するようにしてもよい。
【００２８】
こうすることによっても、ズーム量が変化しても、撮影画像における調整用パターン画像の階調値の平均値を、所望階調値にほぼ維持することができる。
【００２９】
また、本発明の第１のプロジェクタにおいて、
前記撮像制御部は、前記ズーム量に基づいて、所定の演算によって、前記露出計算対象範囲を設定するようにしてもよい。
【００３０】
ズームレンズのズーム量と、投写画像の倍率との関係は、予め既知である。したがって、露出計算対象範囲は、所定の演算によって、容易に設定することができる。
【００３１】
また、本発明の第１のプロジェクタにおいて、さらに、
前記所定の画像について用意され、前記ズーム量と、前記露出計算対象範囲との関係を記した所定の露出計算対象範囲設定テーブルを備えるようし、
前記撮像制御部は、前記露出計算対象範囲設定テーブルを参照し、前記検出されたズーム量に基づいて、前記露出計算対象範囲を設定するようにしてもよい。
【００３２】
露出計算対象範囲設定テーブルには、各ズーム量における好適な露出計算対象範囲が規定されている。先に説明したように、ズームレンズのズーム量と、投写画像の倍率との関係は、予め既知であるから、露出計算対象範囲テーブルは、例えば、所定の演算によって、予め用意することができる。露出計算対象範囲設定テーブルは、所定の演算によらず、適宜、設定してもよい。
【００３３】
本発明によって、露出計算対象範囲を演算によって算出するよりも、高速に設定することができる。
【００３４】
本発明の第２のプロジェクタは、
投写対象物上に画像を投写するプロジェクタであって、
前記投写対象物上に投写される画像の投写範囲を変化させることが可能なズームレンズと、
前記投写された所定の画像を撮影する撮像部と、
前記撮像部における露出調整を行う撮像制御部と、を備え、
前記撮影された撮影画像は、比較的階調値が高い高階調領域と、比較的階調値が低い低階調領域とを有しており、
前記撮像制御部は、前記撮影画像から、前記高階調領域の面積に関する所定のパラメータを導出し、該導出されたパラメータに基づいて、前記撮影画像における露出計算対象範囲を設定し、前記撮影画像から、前記設定された露出計算対象範囲について、露出計算値を算出し、該算出された露出計算値が、所定の露出目標値とほぼ等しくなるように、前記露出調整を行うことを要旨とする。
【００３５】
本発明において、撮影画像における調整用パターン画像の階調値は、調整用パターン画像の範囲外の階調値よりも高いので、調整用パターン画像の範囲が高階調領域となる。「面積に関する所定のパラメータ」としては、面積自体の他、画素数や、調整用パターン画像が矩形の場合の一辺の長さなどが挙げられる。
【００３６】
先に説明したように、従来のプロジェクタでは、自動露出調整を行う際に、露出計算対象範囲を、ズームレンズのズーム量に関わらず、撮影画像全体としていた。これに対し、本発明では、上記パラメータの値に応じて、露出計算対象範囲を変更する。例えば、ズームレンズのズーム量を所定の基準位置に設定した場合の高階調領域の面積を基準面積とし、この場合の高階調領域の範囲を基準露出計算対象範囲とする。そして、ズーム量を変化させ、高階調領域面積を基準面積のａ倍にした場合には、露出計算対象範囲も基準露出計算対象範囲のａ倍にする。
【００３７】
こうすることによって、ズーム量が変化しても、撮影画像における調整用パターン画像の範囲と、露出計算対象範囲との相対的な位置関係を一定に保ったまま、露出計算値を算出することができる。したがって、露出計算値を、ズーム量に関わらず、ほぼ一定に維持することができる。この結果、この露出計算値が、所定の露出目標値にほぼ等しくなるように、露出調整を行うことによって、ズームレンズのズーム量が変化しても、撮影画像における調整用パターン画像の階調値の平均値を、所望階調値にほぼ維持することができる。
【００３８】
上記プロジェクタにおいて、さらに、
前記所定の画像について用意され、前記パラメータと、前記露出計算対象範囲との関係を記した露出計算対象範囲設定テーブルを備えるようにし、
前記撮像制御部は、前記露出計算対象範囲設定テーブルを参照し、前記パラメータに基づいて、前記露出計算対象範囲を設定するようにしてもよい。
【００３９】
調整用パターン画像の形状は、予め既知であるから、上記パラメータの値と、露出計算対象範囲との関係を記した露出計算対象範囲設定テーブルは、予め用意することができる。
【００４０】
なお、本発明の第１、または、第２のプロジェクタにおいて、
投写光学系の光軸の基準位置からのシフト量を変更するシフト量変更部を備える場合、
前記撮像制御部は、さらに、前記シフト量に基づいて、前記露出計算対象範囲を設定するようにしてもよい。
【００４１】
投写した画像を上下左右に移動させるためにレンズを移動させる、いわゆる「あおり」をつけることによって投写光学系の光軸の基準位置からのシフト量が変動すると、撮像すべき画像の投写位置も変動する。シフト量と、画像の投写位置との関係は、予め既知であるから、シフト量に基づいて、露出計算対象範囲を設定することも可能である。本発明によって、投写光学系の光軸の基準位置からのシフト量が変化しても、撮影画像における、調整用パターン画像の階調値の平均値を、所望階調値にほぼ維持することができる。
【００４２】
本発明は、上述した種々の特徴を必ずしも全て備えている必要はなく、その一部を省略したり、適宜、組み合わせたりして構成することができる。本発明は、上述のプロジェクタとしての構成の他、プロジェクタの制御方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００４３】
本発明をコンピュータプログラムまたはそのプログラムを記録した記録媒体等として構成する場合には、プロジェクタの動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００４４】
以下、本発明の実施の形態について、実施例に基づき以下の順序で説明する。
Ａ．プロジェクタの構成（第１実施例）：
Ｂ．画像投写動作：
Ｃ．露出目標値設定動作：
Ｄ．実施例の効果：
Ｅ．第２実施例：
Ｆ．変形例：
【００４５】
Ａ．プロジェクタの構成：
図１は、本発明の第１実施例としてのプロジェクタ１００の概略構成を示す説明図である。このプロジェクタ１００は、ズームレンズによって、スクリーン上に投写される画像の投写範囲を変化させることが可能な液晶プロジェクタである。また、このプロジェクタ１００は、自動露出調整機能を有するモニタカメラ等を備えており、モニタカメラによって、自動露出調整を行いつつ、スクリーン上に投写された調整用パターン画像を撮影し、その撮影画像を解析して、その解析結果に基づいて、ズーム調整や、キーストーン補正や、フォーカス調整など、種々の調整を行うことが可能である。
【００４６】
プロジェクタ１００は、図示するように、Ａ／Ｄ変換部１０２と、撮像部１０４と、撮像制御部１０５と、撮影画像メモリ１０６と、露出計算対象範囲設定テーブル格納部１０７と、画像処理部１０８と、液晶パネル駆動部１１０と、照明光学系１１２と、液晶パネル１１４と、ズームレンズ１１６を備える投写光学系１１８と、ＣＰＵ１２０と、ズーム量検出部１２２と、ズームレンズ駆動部１２４と、リモコン制御部１２６と、リモコン１２８とを備えている。
【００４７】
なお、図１では、ＣＰＵ１２０は、バスを介して、撮像制御部１０５，撮影画像メモリ１０６，画像処理部１０８，液晶パネル駆動部１１０，ズーム量検出部１２２，ズームレンズ駆動部１２４，リモコン制御部１２６のみと接続されているように描かれているが、実際には他の構成部とも接続されている。また、撮像部１０４は、ＣＣＤを備えており、撮像部１０４、および、撮像制御部１０５は、モニタカメラとしてのＣＣＤモジュール１３０を構成している。このＣＣＤモジュール１３０は、プロジェクタ１００に固定されている。ズーム量検出部１２２は、例えば、ズームエンコーダなどによって構成することができる。
【００４８】
Ｂ．画像投写動作：
プロジェクタ１００における通常動作である画像投写動作について簡単に説明する。
【００４９】
図１において、ユーザがリモコン１２８を用いて、画像投写の開始を指示すると、リモコン１２８は、入力されたその指示を無線通信によってリモコン制御部１２６に伝える。リモコン制御部１２６は、リモコン１２８からの指示を、バスを介してＣＰＵ１２０に伝える。ＣＰＵ１２０は、それら指示に基づいて、画像処理部１０８を始めとする各構成部を制御して、画像投写動作を行う。
【００５０】
まず、Ａ／Ｄ変換部１０２が、ビデオプレーヤや、テレビや、ＤＶＤプレーヤなどから出力されたアナログ画像信号や、パーソナルコンピュータなどから出力されたアナログ画像信号を入力し、これらアナログ画像信号をディジタル画像信号に変換して、画像処理部１０８に出力する。Ａ／Ｄ変換部１０２を介さずに、ディジタル画像信号を入力するようにしてもよい。画像処理部１０８は、画像の表示状態、例えば、輝度、コントラスト、同期、トラッキング、色の濃さ、色合いなどが所望の状態となるように、入力されたディジタル画像信号を調整し、液晶パネル駆動部１１０へ出力する。
【００５１】
液晶パネル駆動部１１０は、入力されたディジタル画像信号に基づいて、液晶パネル１１４を駆動する。これにより、液晶パネル１１４では、照明光学系１１２から射出された照明光を、画像情報に応じて変調する。投写光学系１１８は、プロジェクタ１００の筐体の前面に取り付けられており、液晶パネル１１４によって変調された投写光を、スクリーン（図示せず）に投写する。これにより、スクリーン上には、画像が投写表示される。なお、本実施例では、プロジェクタ１００は、スクリーン上に画像の投写を行うものとしたが、単なる壁など、他の投写対象物に画像の投写を行うものとしてもよい。
【００５２】
Ｃ．露出計算範囲の設定：
プロジェクタ１００における本発明の特徴部分である露出計算対象範囲の設定について説明する。
【００５３】
本実施例のプロジェクタ１００は、ＣＣＤモジュール１３０等を備えており、ＣＣＤモジュール１３０によって、スクリーン上に投写された調整用パターン画像を撮影し、その撮影画像を解析して、その解析結果に基づいて、ズーム調整や、キーストーン補正や、フォーカス調整など、種々の調整を行うことが可能である。そして、プロジェクタ１００は、調整用パターン画像の撮影時には、自動露出調整を行う。この自動露出調整を行う際には、随時、露出計算値が算出される。このとき、露出計算値の算出の対象となる撮影画像上の露出計算対象範囲は、ズームレンズ１１６のズーム量に応じて、設定される。
【００５４】
まず、ユーザが、スクリーンの前方における所望の位置にプロジェクタ１００を設置した後、プロジェクタ１００の電源をオンすると、プロジェクタ１００は、上述した種々の調整を行うために、スクリーン上に調整用パターン画像を投写表示させる。
【００５５】
具体的には、画像処理部１０８が、調整用パターン画像を生成して、ディジタル画像信号として液晶パネル駆動部１１０へ出力する。前述したとおり、液晶パネル駆動部１１０は、入力されたディジタル画像信号に基づいて液晶パネル１１４を駆動し、液晶パネル１１４は、照明光学系１１２から射出された照明光を、その画像情報に応じて変調する。投写光学系１１８は、液晶パネル１１４によって変調された投写光を、ズームレンズ１１６などを介して、スクリーンに投写する。これにより、スクリーンには、調整用パターン画像が表示される。本実施例では、調整用パターン画像として、全面白色の画像を用いるものとした。
【００５６】
こうして、スクリーン上に調整用パターン画像が表示された後、次に、ユーザが、スクリーン上における投写範囲の大きさを調整すべく、リモコン１２８のズームボタン（図示せず）を操作して、ズーム量の変更を指示すると、リモコン１２８は、入力されたその指示を無線通信によってリモコン制御部１２６に伝える。リモコン制御部１２６は、リモコン１２８からの指示を、バスを介してＣＰＵ１２０に伝える。ＣＰＵ１２０は、その指示に基づいて、ズームレンズ駆動部１２４を制御して、投写光学系１１８が備えるズームレンズ１１６を駆動し、ズームレンズ１１６のズーム量を変更する。その後、スクリーン上における投写範囲が所望の大きさとなったところで、ユーザが、リモコン１２８のズームボタンを操作して、ズームレンズ１１６の駆動の停止を指示すると、ＣＰＵ１２０は、その指示に基づいて、ズームレンズ駆動部１２４を制御して、ズームレンズ１１６の駆動を停止させる。このとき、ズーム量検出部１２２は、ズームレンズ１１６のズーム量を検出して、その検出結果をズーム量ｚとしてＣＰＵ１２０に伝える。本実施例において、ズーム量ｚは、ズーム量が最もテレ側に設定されている場合を、ｚ＝０とし、最もワイド側に設定されている場合を、ｚ＝２５５としている。また、本実施例では、ズーム量は、０〜２５５の間において、５刻みで設定可能であるものとした。
【００５７】
ＣＰＵ１２０は、図示しないメモリから自動露出調整プログラムを読み出して、自動露出調整処理を実行する。自動露出調整処理の流れについては、後述する。
【００５８】
図２は、露出計算対象範囲について示す説明図である。図２（ａ）には、ズームレンズ１１６のズーム量が、最もテレ側に設定されているとき（ズーム量ｚ＝０）の撮影画像を示した。図２（ｂ）には、ズームレンズ１１６のズーム量が、最もワイド側に設定されているとき（ズーム量ｚ＝２５５）の撮影画像を示した。図示するように、撮影画像は、調整用パターン画像が表示されている白色の高階調領域ＲＨと、調整用パターン画像が表示されていない低階調領域ＲＬとを含んでいる。高階調領域ＲＨ、および、低階調領域ＲＬの面積は、ズーム量ｚに応じて変化する。本実施例では、この高階調領域ＲＨ、すなわち、調整用パターン画像を露出計算対象範囲として設定する。図示した例では、ズーム量ｚ＝０のときは、点Ａ０，Ｂ０，Ｃ０，Ｄ０によって定まる範囲が露出計算対象範囲として設定される（図２（ａ））。また、ズーム量ｚ＝２５５のときは、点Ａ２５５，Ｂ２５５，Ｃ２５５，Ｄ２５５によって定まる範囲が露出計算対象範囲として設定される（図２（ｂ））。これらの各座標値は、図１に示した露出計算対象範囲設定テーブル格納部１０７に格納されている露出計算対象範囲設定テーブルに記されている。なお、４つの点「Ａ」、「Ｂ」、「Ｃ」、「Ｄ」のそれぞれに付された数字は、ズーム量ｚの値を示しており、一般に、「Ａｚ」、「Ｂｚ」、「Ｃｚ」、「Ｄｚ」で表すものとする。
【００５９】
図３は、第１実施例における露出計算対象範囲設定テーブルの内容を示す説明図である。ＣＣＤモジュール１３０に備えられたＣＣＤの画素数が６４０×４８０の場合について例示した。露出計算対象範囲設定テーブルは、全面白色の調整用パターン画像について用意されている。この露出計算対象範囲設定テーブルには、ズーム量ｚと、露出計算対象範囲を定める４つの頂点の各座標値とが対応付けて記されている。例えば、ズーム量ｚ＝０のときには、４つの頂点の座標値Ａｚ＝（１７０，２１５）、Ｂｚ＝（４７０，２１５）、Ｃｚ＝（１７０，４４０）、Ｄｚ＝（４７０，４４０）によって定まる範囲が、露出計算対象範囲となる。この露出計算対象範囲設定テーブルから、ズーム量ｚが増大するとともに、露出計算対象範囲が広くなることが分かる。
【００６０】
図４は、第１実施例における自動露出調整処理の流れを示すフローチャートである。この処理は、調整用パターン画像の撮影時に、ＣＰＵ１２０、または、撮像制御部１０５が実行する処理である。
【００６１】
この処理が開始されると、まず、ＣＰＵ１２０は、ズーム量検出部１２２よって検出されたズーム量ｚを取得する（ステップＳ１００）。そして、ＣＰＵ１２０は、露出計算対象範囲設定テーブルを参照し（ステップＳ１１０）、ステップＳ１００において取得したズーム量ｚに基づいて、露出計算対象範囲を設定する（ステップＳ１２０）。そして、ＣＰＵ１２０は、撮像制御部１０５に対して、撮像を指示し、撮像制御部１０５は、スクリーン上に投写表示された調整用パターン画像の撮像を行う（ステップＳ１３０）。
【００６２】
次に、撮像制御部１０５は、撮影画像から、ステップＳ１２０において設定された露出計算対象範囲について、露出計算値を算出する（ステップＳ１４０）。露出計算値は、露出計算対象範囲内の各画素の階調値の平均値である。
【００６３】
そして、撮像制御部１０５０は、この露出計算値が予め設定された所定の露出目標値とほぼ等しくなるように、撮像部１０４におけるシャッタ速度、ゲイン、絞りのうちの少なくとも１つを制御して、露出調整を行う（ステップＳ１５０）。ステップＳ１３０〜Ｓ１５０の処理は、露出計算値と露出目標値との差が所定の範囲内に収まるまで繰り返される。そして、自動露出調整処理を終了する。
【００６４】
以上説明した自動露出調整処理の終了後、撮影画像は、ディジタル画像信号として画像処理部１０８に出力され、所定の処理が施された後、撮影画像メモリ１０６に書き込まれる。ＣＰＵ１２０は、撮影画像メモリ１０６からディジタル画像信号を読み出して、撮影画像を取得し、その撮影画像を解析する。そして、その解析結果に基づいて、各種調整を実行する。
【００６５】
Ｄ．実施例の効果：
図５は、ズーム量を変えた場合の、撮影画像における白色部分の各画素の階調値を示す説明図である。図５において、図９、および、図１０と同様に、上段は、調整用パターン画像の表示されたスクリーンを、中段は、そのスクリーンの撮影画像を、下段は、その撮影画像における画素の階調値を、それぞれ示している。また、図５（Ａ）は、ズームレンズのズーム量を中間値に設定した場合の状態を示しており、図５（Ｂ）は、ズーム量をワイド側に設定した場合の状態を示しており、図５（Ｃ）は、ズーム量をテレ側に設定した場合の状態を示している。
【００６６】
ズーム量を所定の中間値に設定した場合、図５（Ａ）の下段に示すように、撮影画像における白色部分の各画素の階調値が所望階調値Ｌｔに一致していたとする。本実施例においては、ズームレンズ１１６のズーム量、すなわち、ズーム量ｚに応じて、撮影画像における調整用パターン画像の範囲と、露出計算対象範囲との相対的な位置関係を一定に保ったまま、露出計算対象範囲を設定している。換言すれば、本実施例では、撮影画像における露出計算対象範囲に占める調整用パターン画像の範囲の面積の割合が、ズーム量ｚに関わらず、一定になるように、露出計算対象範囲を設定している。例えば、ズーム量ｚを、図５（Ａ）に示した場合のズーム量ｚよりも大きく設定した場合には、調整用パターン画像の投写範囲が拡大されるから、この拡大された分だけ、露出計算対象範囲設定を広く設定している。また、ズーム量ｚを、図５（Ａ）に示した場合のズーム量ｚよりも小さく設定した場合には、調整用パターン画像の投写範囲が縮小されるから、この縮小された分だけ、露出計算対象範囲設定を狭く設定している。こうすることによって、露出計算値を、ズーム量ｚに関わらず、ほぼ一定に維持することができる。したがって、自動露出調整によって、露出計算値が露出目標値に等しくなるように、シャッタ速度や、ゲインや、絞りなどを変化させることによって、図５（Ｂ）、（ｃ）の下段に示すように、白色部分における各画素の階調値を所望階調値Ｌｔにほぼ維持することができる。
【００６７】
以上説明した本実施例のプロジェクタ１００によれば、ズームレンズ１１６のズーム量が変化しても、撮影画像における調整用パターン画像の階調値の平均値を、所望階調値Ｌｔにほぼ維持することができる。この結果、ズーム調整や、キーストーン補正や、フォーカス調整などの種々の調整を、適正に行うことができる。
【００６８】
Ｅ．第２実施例：
図６は、本発明の第２実施例としてのプロジェクタ１００Ａの概略構成を示す説明図である。第１実施例のプロジェクタ１００は、ズーム量ｚに基づいて、露出計算対象範囲の設定を行った。これに対し、第２実施例のプロジェクタ１００Ａは、ズーム量ｚの代わりに、撮影画像における高階調領域ＲＨ（図２参照）の面積ＳＨ、すなわち、高階調領域ＲＨの画素数に基づいて、露出計算対象範囲を設定する。したがって、プロジェクタ１００Ａは、第１実施例のプロジェクタ１００と異なり、ズーム量検出部１２２を備えていない。また、露出計算対象範囲設定テーブル格納部１０７Ａに格納されている露出計算対象範囲設定テーブルの内容が第１実施例のプロジェクタ１００と異なる。この他は、第１実施例のプロジェクタ１００とほぼ同じである。したがって、以下では、第１実施例と異なる事項についてのみ説明する。
【００６９】
なお、第２実施例において、ズーム量ｚの代わりに、撮影画像における高階調領域ＲＨの面積ＳＨを用いることが可能な理由は、以下に説明する通り、高階調領域ＲＨの面積ＳＨを、ズーム量ｚの関数として表すことができるからである。
【００７０】
今、撮影画像において、高階調領域ＲＨの横辺の長さをｗ、縦辺の長さをｈ、高階調領域ＲＨの面積をＳＨとする。このとき、高階調領域ＲＨの横辺の長さｗは、以下に示す式（１）によって表すことができる。
【００７１】
ｗ＝ｋ×ｚ＋ｗ０      …（１）
ただし、ｋ、ｗ０は、それぞれ、定数である。
【００７２】
また、高階調領域ＲＨの縦辺の長さは、以下に示す式（２）によって表すことができる。
【００７３】
ｈ＝Ｋ×ｗ      …（２）
ただし、Ｋは、高階調領域ＲＨのアスペクト比に応じた係数である。例えば、高階調領域ＲＨのアスペクト比が４：３である場合には、Ｋ＝３／４となる。
【００７４】
したがって、調整用パターン画像の面積ＳＨは、以下に示す式（３）によって表すことができる。
【００７５】
ＳＨ＝ｗ×ｈ
＝ｗ×Ｋ×ｗ
＝Ｋ×（ｋ×ｚ＋ｗ０）2      …（３）
【００７６】
図７は、第２実施例における露出計算対象範囲設定テーブルの内容を示す説明図である。ＣＣＤモジュール１３０に備えられたＣＣＤの画素数が６４０×４８０の場合について例示した。本実施例では、露出計算対象範囲設定テーブルは、全面白色の調整用パターン画像について用意されている。この露出計算対象範囲設定テーブルには、高階調領域ＲＨの面積ＳＨと、露出計算対象範囲を定める４つの頂点の各座標値とが対応付けて記されている。例えば、高階調領域ＲＨの面積ＳＨ＝６７５００のときには、４つの頂点の座標値Ａｚ＝（１７０，２１５）、Ｂｚ＝（４７０，２１５）、Ｃｚ＝（１７０，４４０）、Ｄｚ＝（４７０，４４０）によって定まる範囲が、露出計算対象範囲となる。
【００７７】
なお、図示した露出計算対象範囲設定テーブルにおいて、各面積ＳＨは、各ズーム値ｚにおける高階調領域ＲＨの面積の理論値に対応している。例えば、最上段の面積ＳＨ＝６７５００は、ズームレンズのズーム量を最もテレ側に設定したとき（第１実施例におけるズーム値ｚ＝０）の高階調領域ＲＨの面積に対応している。また、最下段の面積ＳＨ＝２７００００は、ズームレンズのズーム量を最もワイド側に設定したとき（第１実施例におけるズーム値ｚ＝２５５）の高階調領域ＲＨの面積に対応している。この露出計算対象範囲設定テーブルから、高階調領域ＲＨの面積ＳＨが増大するとともに、露出計算対象範囲が広くなることが分かる。
【００７８】
図８は、第２実施例における自動露出調整処理の流れを示すフローチャートである。
【００７９】
この処理が開始されると、まず、ＣＰＵ１２０は、撮像制御部１０５に対して、撮像を指示し、スクリーン上に投写表示された調整用パターン画像の撮像を行い、撮影画像を取得する（ステップＳ２００）。次に、ＣＰＵ１２０は、撮影画像を解析し、高階調領域ＲＨの面積ＳＨ、すなわち、高階調領域ＲＨの画素数を算出する（ステップＳ２１０）。そして、ＣＰＵ１２０は、露出計算対象範囲設定テーブルを参照し（ステップＳ２２０）、ステップＳ２１０において算出した面積ＳＨに基づいて、露出計算対象範囲を設定する（ステップＳ２３０）。この際、ステップＳ２１０において算出された面積ＳＨは、誤差を含むため、露出計算対象範囲設定テーブルにおける面積ＳＨと一致しない場合が多い。この場合には、算出された面積ＳＨに最も近い露出計算対象範囲設定テーブルにおける面積ＳＨを参照して、露出計算対象範囲を設定する。そして、ＣＰＵ１２０は、再度、撮像制御部１０５に対して、撮像を指示し、撮像制御部１０５は、スクリーン上に投写表示された調整用パターン画像の撮像を行う（ステップＳ２４０）。
【００８０】
次に、撮像制御部１０５は、撮影画像から、ステップＳ２３０において設定された露出計算対象範囲について、露出計算値を算出する（ステップＳ２５０）。そして、撮像制御部１０５は、この露出計算値が予め設定された所定の露出目標値とほぼ等しくなるように、撮像部１０４におけるシャッタ速度、ゲイン、絞りのうちの少なくとも１つを制御して、露出調整を行う（ステップＳ２６０）。ステップＳ２４０〜Ｓ２６０の処理は、露出計算値と露出目標値との差が所定の範囲内に収まるまで繰り返される。そして、自動露出調整処理を終了する。
【００８１】
以上説明した自動露出調整処理の終了後、第１実施例と同様に、撮影画像は、ディジタル画像信号として画像処理部１０８に出力され、所定の処理が施された後、撮影画像メモリ１０６に書き込まれる。ＣＰＵ１２０は、撮影画像メモリ１０６からディジタル画像信号を読み出して、撮影画像を取得し、その撮影画像を解析する。そして、その解析結果に基づいて、各種調整を実行する。
【００８２】
以上説明した第２実施例のプロジェクタ１００Ａによれば、ズームレンズのズーム量が変化しても、撮影画像における調整用パターン画像の範囲と、露出計算対象範囲との相対的な位置関係を一定に保ったまま、露出計算値を算出することができる。この露出計算値は、ズームレンズのズーム量に関わらず、ほぼ一定となる。したがって、この露出計算値が、所定の露出目標値にほぼ等しくなるように、露出調整を行うことによって、ズームレンズのズーム量が変化しても、撮影画像における調整用パターン画像の階調値の平均値を、所望階調値にほぼ維持することができる。この結果、ズーム調整や、キーストーン補正や、フォーカス調整などの種々の調整を、適正に行うことができる。
【００８３】
Ｆ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００８４】
Ｆ１．変形例１：
上記第１実施例では、露出計算対象範囲設定テーブルを参照して、ズーム量ｚに基づいて、露出計算対象範囲の設定を行うものとしたが、これに限られない。ズーム量ｚと、投写画像の倍率との関係は、予め既知であるから、露出計算対象範囲を、ズーム量ｚに基づいて、所定の演算によって設定するようにしてもよい。
【００８５】
図２において、ズーム量ｚ＝０のときの露出計算対象範囲が、以下の４つの頂点によって定まるものとした場合を例に、露出計算対象範囲の算出方法について説明する。
Ａ０＝（ｘ１，ｙ１）；
Ｂ０＝（ｘ２，ｙ１）；
Ｃ０＝（ｘ１，ｙ２）；
Ｄ０＝（ｘ２，ｙ２）；
【００８６】
この場合、ズーム量ｚが増大すると、４つの頂点の各座標値は、以下に示すように変動する。
Ａｚ＝（ｘ１−ｄｘ，ｙ１−ｄｙ１）；
Ｂｚ＝（ｘ２＋ｄｘ，ｙ１−ｄｙ１）；
Ｃｚ＝（ｘ１−ｄｘ，ｙ２＋ｄｙ２）；
Ｄｚ＝（ｘ２＋ｄｘ，ｙ２＋ｄｙ２）；
【００８７】
ここで、
ｄｘは、各点のｘ方向の変動量である。ｄｘ＝ｐ×ｚ；
ｄｙ１は、露出計算対象範囲の上辺を構成する点Ａ０，Ｂ０のｙ方向の変動量である。
ｄｙ１＝ｑ×ｚ；
ｄｙ２は、露出計算対象範囲の下辺を構成する点Ｃ０，Ｄ０のｙ方向の変動量である。
ｄｙ２＝ｒ×ｚ；
【００８８】
なお、ｐ，ｑ，ｒは、投写光学系１１８の光軸のシフト量によって決定される係数である。本変形例では、シフト量は、固定である。
【００８９】
ズームレンズのズーム量ｚと、露出計算対象範囲を決定する各頂点の座標値との間には、上述した関係が有るので、露出計算対象範囲を演算によって設定することができる。なお、上記第１実施例によれば、上述した演算を行う必要がないので、露出計算対象範囲を本変形例よりも高速に設定することができるという利点がある。一方、本変形例によれば、第１実施例における露出計算対象範囲設定テーブルを保持する必要がないという利点がある。
【００９０】
Ｆ２．変形例２：
上記実施例では、ズームレンズのズーム量ｚや、撮影画像における高階調領域ＲＨの面積ＳＨに基づいて、露出計算対象範囲を設定したが、これに限られない。投写光学系の光軸のシフト量を変更可能なプロジェクタにおいては、さらに、シフト量に基づいて、露出計算対象範囲を設定するようにしてもよい。投写光学系の光軸のシフト量は、シフト量検出部を設けることによって検出可能である。この場合、露出計算対象範囲の設定は、例えば、上記変形例１における係数ｐ，ｑ，ｒを、シフト量の関数として演算することによって、設定することができる。こうすることによって、投写光学系の光軸のシフト量が変化しても、撮影画像における、調整用パターン画像の階調値の平均値を、所望階調値にほぼ維持することができる。
【００９１】
Ｆ３．変形例３：
上記実施例では、調整用パターン画像として、全面白色の画像を用いるようにしたが、これに限られない。調整用パターン画像として、例えば、所定の階調パターンを有する画像や、ロゴなどを用いるようにしてもよい。
【００９２】
Ｆ４．変形例４：
上記実施例では、露出計算対象範囲は、撮影画像における調整用パターン画像の範囲としたが、これに限られない。露出計算対象範囲は、撮影画像における調整用パターン画像の少なくとも一部を含み、調整用パターン画像の範囲と、露出計算対象範囲との相対的な位置関係が、ズームレンズのズーム量に関わらず、一定であればよい。この場合、例えば、露出計算対象範囲は、撮影画像における調整用パターン画像を含む所定の範囲としてもよいし、調整用パターン画像の内部の所定の範囲としてもよい。
【００９３】
また、上記実施例では、露出計算対象範囲は、矩形の範囲としたが、円形や、楕円形や、多角形など他の形状の範囲としてもよい。
【００９４】
Ｆ５．変形例５：
上記第２実施例では、高階調領域ＲＨの面積ＳＨに基づいて、露出計算対象範囲を設定したが、これに限られない。一般に、高階調領域ＲＨの面積に関する所定のパラメータに基づいて、露出計算対象範囲を設定すればよく、例えば、高階調領域ＲＨの一辺の長さ（例えば、図２におけるＡｚ−Ｂｚ間の長さ）に基づいて、露出計算対象範囲を設定するようにしてもよい。
【００９５】
Ｆ６．変形例６：
上記実施例では、プロジェクタ１００，１００Ａは、液晶プロジェクタであるものとしたが、ＤＬＰプロジェクタ（ＤＬＰは、登録商標）であってもよい。
【図面の簡単な説明】
【００９６】
【図１】本発明の第１実施例としてのプロジェクタ１００の概略構成を示す説明図である。
【図２】露出計算対象範囲について示す説明図である。
【図３】第１実施例における露出計算対象範囲設定テーブルの内容を示す説明図である。
【図４】第１実施例における自動露出調整処理の流れを示すフローチャートである。
【図５】ズーム量を変えた場合の、撮影画像における白色部分の各画素の階調値を示す説明図である。
【図６】本発明の第２実施例としてのプロジェクタ１００Ａの概略構成を示す説明図である。
【図７】第２実施例における露出計算対象範囲設定テーブルの内容を示す説明図である。
【図８】第２実施例における自動露出調整処理の流れを示すフローチャートである。
【図９】従来におけるモニタカメラの自動露出調整機能による効果を説明するための説明図である。
【図１０】従来におけるズーム量を変化させた場合の、モニタカメラの自動露出調整機能による問題を説明するための説明図である。
【符号の説明】
【００９７】
１００、１００Ａ…プロジェクタ
１０２…Ａ／Ｄ変換部
１０４…撮像部
１０５…撮像制御部
１０６…撮影画像メモリ
１０７、１０７Ａ…露出計算対象範囲設定テーブル格納部
１０８…画像処理部
１１０…液晶パネル駆動部
１１２…照明光学系
１１４…液晶パネル
１１６…ズームレンズ
１１８…投写光学系
１２２…ズーム量検出部
１２４…ズームレンズ駆動部
１２６…リモコン制御部
１２８…リモコン
ＲＨ…高階調領域
ＲＬ…低階調領域
【図１】
2006047338.tif 000003
【図２】
2006047338.tif 000004
【図３】
2006047338.tif 000005
【図４】
2006047338.tif 000006
【図５】
2006047338.tif 000007
【図６】
2006047338.tif 000008
【図７】
2006047338.tif 000009
【図８】
2006047338.tif 000010
【図９】
2006047338.tif 000011
【図１０】
2006047338.tif 000012